(57)【要約】【課題】  循環水におけるレジオネラ属菌の繁殖を効果的に抑制する。【解決手段】  冷却水循環システム１において、冷却塔２と冷却負荷装置４との間に循環経路５が設けられており、循環経路５において冷却負荷装置４を冷却するための冷却水が循環している。この冷却水は、原水供給路３０からの原水を軟水器３１により軟水化したものであり、ファン２４の駆動によりルーバ２２から冷却塔２内へ流入する外気と共に一部が開口部２１から外部に飛散する。このような冷却水の飛散量は、ファン２４の回転速度をインバータ２５により制御すると抑制されるため、冷却水は、Ｍアルカリ成分濃度が上昇する。そして、このようなＭアルカリ成分濃度の上昇に伴い、冷却水はアルカリ性を呈し、ｐＨが９．０以上に維持される。この結果、循環中の冷却水において、レジオネラ属菌の繁殖が抑制される。【選択図】        図１
2006175298.tif 000002
【特許請求の範囲】
【請求項１】
循環水においてレジオネラ属菌が繁殖するのを抑制するための方法であって、
前記循環水として軟水を用い、その濃縮により前記循環水のｐＨを９．０以上に維持する工程を含む、
レジオネラ属菌の繁殖抑制方法。
【請求項２】
循環水においてレジオネラ属菌が繁殖するのを抑制するための方法であって、
前記循環水として軟水を用い、かつ、アルカリ金属の炭酸水素塩、アルカリ金属の炭酸塩およびアルカリ金属の水酸化物からなる群から選ばれた少なくとも一つのアルカリ金属化合物を前記循環水へ添加することにより前記循環水のｐＨを９．０以上に維持する工程を含む、
レジオネラ属菌の繁殖抑制方法。
【請求項３】
循環水においてレジオネラ属菌が繁殖するのを抑制するための方法であって、
前記循環水として軟水を用い、かつ、前記循環水を電解処理することにより前記循環水のｐＨを９．０以上に維持する工程を含む、
レジオネラ属菌の繁殖抑制方法。
【発明の詳細な説明】
【技術分野】
【０００１】
本発明は、レジオネラ属菌の繁殖抑制方法、特に、循環水においてレジオネラ属菌が繁殖するのを抑制するための方法に関する。
【背景技術】
【０００２】
レジオネラ属菌は、土壌や淡水から普通に検出される菌類であり、微量であれば人体に感染する可能性は低いものと認識されている。ところが、商業ビルにおいて冷却塔（クーリングタワー）により冷却される冷却水や、いわゆる２４時間風呂において浴槽とヒータとの間を循環する浴槽水などの循環水においては、配管等に付着した藻類の代謝産物等を栄養源とし、また、アメーバ等の原生動物に寄生して、レジオネラ属菌が繁殖する。冷却水中で繁殖したレジオネラ属菌は、冷却塔において冷却水がエアロゾルとなって大気中に飛散するため、結果的に冷却水と共に大気中に飛散し、呼吸を通じて人に感染するおそれがある。また、浴槽水において繁殖したレジオネラ属菌は、湯気の吸引や浴槽水の誤飲により、人に感染するおそれがある。人に感染したレジオネラ属菌は、致死率の高いレジオネラ症を発症させる可能性がある。
【０００３】
このため、非特許文献１は、人がエアロゾルを直接吸引する可能性が低い冷却水のような循環水について、レジオネラ属菌が１０２ＣＦＵ／１００ミリリットル以上検出された場合において、その循環系の清掃、消毒を推奨している。一方、浴槽水のような人がエアロゾルを直接吸引する可能性が高い循環水について、レジオネラ属菌が１０ＣＦＵ／１００ミリリットル以上検出された場合において、その循環系の清掃、消毒を推奨している。また、いずれの場合においても、清掃、消毒等の対策実施後は、循環水におけるレジオネラ属菌の検出数が１０ＣＦＵ／１００ミリリットル未満に維持されるよう推奨している。
【０００４】
ところで、循環水においてレジオネラ属菌が繁殖するのを抑制するための方法として、一般に、循環水に次亜塩素酸等の塩素剤を添加する方法が知られている（非特許文献１）。この方法は、大腸菌群等の細菌類に対しては顕著な殺菌効果を発揮するが、レジオネラ属菌に対しては効果が小さい。これは、塩素剤の浸透しにくい生物皮膜やアメーバ中にレジオネラ属菌が存在し、レジオネラ属菌が塩素剤の影響を受けにくいためと理解されている。特に、シスト化状態のアメーバ中に存在するレジオネラ属菌は、塩素濃度が５０ｍｇ／リットルの環境においても耐性を示し、容易に死滅しないと言われている。
【０００５】
【非特許文献１】厚生省生活衛生局企画課監修；財団法人ビル管理教育センター発行「新版  レジオネラ症防止指針（平成１５年５月  ５刷発行）」
【０００６】
本発明の目的は、循環水におけるレジオネラ属菌の繁殖を効果的に抑制することにある。
【発明の開示】
【課題を解決するための手段】
【０００７】
本発明に係るレジオネラ属菌の繁殖抑制方法は、循環水においてレジオネラ属菌が繁殖するのを抑制するための方法であり、循環水として軟水を用い、当該軟水の濃縮により循環水のｐＨを９．０以上に維持する工程を含んでいる。
【０００８】
本発明の他の観点に係るレジオネラ属菌の繁殖抑制方法は、同じく、循環水においてレジオネラ属菌が繁殖するのを抑制するための方法であり、循環水として軟水を用い、かつ、アルカリ金属の炭酸水素塩、アルカリ金属の炭酸塩およびアルカリ金属の水酸化物からなる群から選ばれた少なくとも一つのアルカリ金属化合物を循環水へ添加することにより循環水のｐＨを９．０以上に維持する工程を含んでいる。
【０００９】
本発明のさらに他の観点に係るレジオネラ属菌の繁殖抑制方法は、同じく、循環水においてレジオネラ属菌が繁殖するのを抑制するための方法であり、循環水として軟水を用い、かつ、循環水を電解処理することにより循環水のｐＨを９．０以上に維持する工程を含んでいる。
【００１０】
本発明の方法を適用可能な循環水は、例えば、冷却塔と冷却負荷装置との間を循環する冷却水である。
【発明の効果】
【００１１】
本発明に係るレジオネラ属菌の繁殖抑制方法は、循環水のｐＨを９．０以上に維持しているため、循環水におけるレジオネラ属菌の繁殖を効果的に抑制することができる。
【発明を実施するための最良の形態】
【００１２】
第一の形態
図１を参照して、本発明に係るレジオネラ属菌の繁殖抑制方法の第一の形態を適用可能な冷却水循環システムを説明する。図１において、冷却水循環システム１は、冷却塔２、給水装置３、冷却負荷装置４および循環経路５を主に備えている。
【００１３】
冷却塔２は、上部に開口部２１を有する円筒型の本体２０を備えている。本体２０は、外気を導入するためのルーバ２２が側面に設けられており、また、冷却水を貯留するための貯留部２３を底部に有している。本体２０の開口部２１には、ファン２４が水平に配置されている。ファン２４は、ルーバ２２から本体２０内へ外気が流入するよう回転可能なものであり、モータ（図示せず）により回転駆動される。ファン２４を回転駆動するモータは、インバータ２５に接続されている。インバータ２５は、モータへ供給する電源周波数を無段階的に変えてモータの回転速度を変速し、ファン２４の回転速度を調節するためのものである。また、インバータ２５は、その動作を制御するための制御装置２６に接続されている。
【００１４】
給水装置３は、冷却塔２に対し、冷却水として使用される水を供給するためのものであり、原水供給路３０、軟水器３１、給水経路３２を主に備えている。原水供給路３０は、一端が水道水や工業用水等の原水の供給源（図示せず）に接続されており、軟水器３１に対して原水を供給するためのものである。この原水供給路３０は、軟水器３１に対する原水の供給量を制御するためのバルブ３３を有している。軟水器３１は、原水供給路３０からの原水を軟水化するためのものである。具体的には、原水供給路３０からの原水に含まれるカルシウムやマグネシウムなどの硬度分を除去し、原水を軟水へ変換するためのものである。給水経路３２は、軟水器３１からの軟水を冷却塔２の貯留部２３へ供給するためのものである。
【００１５】
冷却負荷装置４は、冷却水による冷却が必要な各種装置、例えば、各種の化学プラントのターボ冷凍機や吸収冷凍機、建築物の空調用冷凍機、食品工場の冷水製造機や真空冷却機などであり、所要の冷却水流路（図示せず）を有している。そして、冷却水流路は、冷却水導入部４０と冷却水排出部４１とを有している。
【００１６】
循環経路５は、冷却負荷装置４に対して冷却水を供給するための供給経路５０と、冷却負荷装置４に対して供給された冷却水を回収するための回収経路５１とを主に備えている。供給経路５０は、冷却塔２の貯留部２３から延びており、冷却負荷装置４の冷却水導入部４０に連絡している。また、供給経路５０は、冷却塔２側から順にｐＨセンサ５２と第一ポンプ５３とを有している。ｐＨセンサ５２は、供給経路５０を通じて冷却負荷装置４へ供給される冷却水のｐＨを測定するためのものであり、制御装置２６に接続されている。また、第一ポンプ５３は、冷却塔２の貯留部２３に貯留された軟水を冷却負荷装置４へ連続的に送り出すためのものである。
【００１７】
一方、回収経路５１は、一端が冷却負荷装置４の冷却水排出部４１に接続されており、他端側が冷却塔２の本体２０内の上部であって、ファン２４の下方に水平に延びるように配置されている。本体２０内に配置された回収経路５１の上記他端側には、本体２０の底部へ向けて冷却負荷装置４からの冷却水を噴出するための多数のノズル（図示せず）を有している。
【００１８】
次に、上述の冷却水循環システム１の基本的動作を説明する。
冷却水循環システム１において、冷却塔２に対し、給水装置３から水が供給される。ここでは、原水供給路３０から軟水器３１に対して原水が供給され、この原水は軟水器３１において硬度分が除去されて軟水になる。この軟水は、軟水器３１から給水経路３２を通じ、冷却塔２の貯留部２３に貯留される。
【００１９】
貯留部２３に貯留された軟水は、冷却水として冷却負荷装置４に対して供給される。ここでは、第一ポンプ５３の作動により貯留部２３の軟水（以下、「冷却水」という）が供給経路５０を通じて冷却負荷装置４の冷却水導入部４０に対して連続的に供給される。冷却水導入部４０に対して供給された冷却水は、冷却負荷装置４の冷却水流路を通過して冷却負荷装置４を冷却し、冷却水排出部４１から回収経路５１へ排出される。
【００２０】
回収経路５１へ排出された冷却水は、冷却塔２の本体２０内においてノズルから噴出し、図に点線で示すように本体２０内で落下して貯留部２３へ戻る。この際、本体２０内で落下する冷却水は、ファン２４の回転により図に矢印で示すようにルーバ２２を通じて本体２０内へ外気が流入するため、この外気に触れて冷却される。このように冷却されて貯留部２３へ戻った冷却水は、再び供給経路５０を通じて冷却負荷装置４へ供給され、回収経路５１を通じて貯留部２３へ戻る。したがって、貯留部２３に貯留された冷却水は、冷却水循環システム１の作動中、循環経路５を通じて冷却塔２と冷却負荷装置４との間を循環する循環水になる。
【００２１】
次に、上述の冷却水循環システム１におけるレジオネラ属菌の繁殖抑制方法を説明する。
ここでは、先ず、バルブ３３を操作し、原水供給路３０から軟水器３１への原水の供給を遮断する。これにより、貯留部２３に対する軟水の供給が遮断され、冷却塔２と冷却負荷装置４との間では、冷却塔２の貯留部２３に貯留された冷却水のみが循環することになる。
【００２２】
貯留部２３に貯留された冷却水は、上述のように循環経路５を循環するが、回収経路５１のノズルから噴出されて貯留部２３へ落下する際、ルーバ２２から本体２０内へ流入する外気と共に一部が開口部２１から本体２０外へ蒸発する。この結果、循環経路５を循環する冷却水は、徐々に濃縮され、そのＭアルカリ成分濃度が上昇する。そして、このようなＭアルカリ成分濃度の上昇に伴い、冷却水のｐＨはアルカリ側へ変化する。この実施の形態では、このような冷却水の濃縮に伴うｐＨの変化を利用し、冷却水のｐＨを９．０以上、好ましくは９．２以上に維持する。
【００２３】
以上のようにして冷却水のｐＨを９．０以上若しくは９．２以上に維持すると、循環経路５を循環する冷却水において、レジオネラ属菌の繁殖が抑制され、冷却水中のレジオネラ属菌数は、厚生省生活衛生局企画課監修；財団法人ビル管理教育センター発行「新版  レジオネラ症防止指針（平成１５年５月  ５刷発行）」（上述の非特許文献１）において推奨されている１０ＣＦＵ／１００ミリリットル未満に維持するのが容易になる。
【００２４】
ところで、この実施の形態においては、ファン２４の回転により流入する外気と共に、本体２０の開口部２１から蒸発する冷却水に随伴して微細水滴の冷却水が大気中へ飛散する。したがって、冷却水の飛散量は、ファン２４の回転速度が高速になるほど多くなる。飛散した冷却水は、Ｍアルカリ成分を含むため、冷却水の飛散量が多いとＭアルカリ成分が失われ、結果的に循環している冷却水のＭアルカリ成分濃度が一定以上に上昇しにくくなり、冷却水のｐＨが９．０以上若しくは９．２以上に維持されにくくなる。そこで、この実施の形態では、循環中の冷却水のｐＨをｐＨセンサ５２により常時測定し、その測定結果に基づいてファン２４の回転速度を制御するのが好ましい。より具体的には、ｐＨセンサ５２での測定結果に基づいて制御装置２６によりインバータ２５を制御し、冷却水を冷却するのに十分な範囲でファン２４の回転速度が低速になるよう調節するのが好ましい。このようにすると、冷却水の飛散が抑制され、Ｍアルカリ成分濃度を基準とする冷却水の濃縮倍率を高めやすくなるため、循環経路５を循環する冷却水のｐＨを９．０以上若しくは９．２以上に維持しやすくなる。
【００２５】
上述のように、この形態に係るレジオネラ属菌の繁殖抑制方法は、循環する冷却水のｐＨを９．０以上若しくは９．２以上に維持しやすくなり、これによりレジオネラ属菌の繁殖を効果的に抑制することができるが、冷却水が軟水であるため、冷却塔２におけるスケールの生成を併せて効果的に抑制することができる。
【００２６】
第二の形態
図２を参照して、本発明に係るレジオネラ属菌の繁殖抑制方法の第二の形態を適用可能な冷却水循環システムを説明する。図２において、冷却水循環システム１００は、インバータ２５に代えて薬剤供給装置１１０を備えている点を除き、上述の第一の形態に係る冷却水循環システム１と概ね同様に構成されている。したがって、図２において、図１と同じ部位には同じ符号を付している。
【００２７】
薬剤供給装置１１０は、薬剤貯留部１１１と薬剤供給路１１２とを主に備えている。薬剤貯留部１１１は、循環経路５を循環する冷却水のｐＨをアルカリ性に調整するための薬剤を貯留するものである。薬剤貯留部１１１に貯留される薬剤は、通常、アルカリ金属の炭酸水素塩、アルカリ金属の炭酸塩およびアルカリ金属の水酸化物からなる群から選ばれた少なくとも一つのアルカリ金属化合物である。アルカリ金属の炭酸水素塩としては、例えば、炭酸水素ナトリウムおよび炭酸水素カリウムを挙げることができる。また、アルカリ金属の炭酸塩としては、例えば、炭酸ナトリウムおよび炭酸カリウムを挙げることができる。さらに、アルカリ金属の水酸化物としては、例えば、水酸化ナトリウムおよび水酸化カリウムを挙げることができる。
【００２８】
薬剤供給路１１２は、薬剤貯留部１１１に貯留された薬剤を冷却塔２の貯留部２３内へ供給するためのものであり、薬剤を供給するための第二ポンプ１１３を有している。この第二ポンプ１１３は、制御装置２６に接続されている。制御装置２６は、ｐＨセンサ５２からの情報に基づいて、第二ポンプ１１３を制御する。
【００２９】
この冷却水循環システム１００は、上述の第一の形態を実施するための冷却水循環システム１と基本的動作は同じであるが、レジオネラ属菌の繁殖抑制方法を次のように実施する。
【００３０】
先ず、バルブ３３を操作し、原水供給路３０から軟水器３１への原水の供給を遮断する。これにより、貯留部２３に対する軟水の供給が遮断され、冷却塔２と冷却負荷装置４との間では、冷却塔２の貯留部２３に貯留された冷却水のみが循環する。この際、循環中の冷却水は、ｐＨセンサ５２によりｐＨが常時測定され、その情報が制御装置２６へ伝達される。制御装置２６は、ｐＨセンサ５２からの情報に基づいて、循環中の冷却水のｐＨが９．０以上、好ましくは９．２以上に維持されるよう第二ポンプ１１３を作動させ、薬剤供給路１１２を通じて薬剤貯留部１１１から本体２０の貯留部２３へ薬剤を適宜供給する。これにより、循環経路５を循環中の冷却水は、ｐＨが９．０以上若しくは９．２以上に維持される。
【００３１】
以上のようにして冷却水のｐＨを９．０以上若しくは９．２以上に維持すると、循環経路５を循環する冷却水において、レジオネラ属菌の繁殖が抑制され、冷却水中のレジオネラ属菌数は、上述の推奨値である１０ＣＦＵ／１００ミリリットル未満に容易に維持され得る。
【００３２】
上述のように、この形態に係るレジオネラ属菌の繁殖抑制方法は、循環する冷却水のｐＨを薬剤により９．０以上若しくは９．２以上に維持しているため、レジオネラ属菌の繁殖を効果的に抑制することができるが、冷却水が軟水であるため、冷却塔２におけるスケールの生成を併せて効果的に抑制することができる。
【００３３】
上述の説明では軟水器３１への原水の供給を遮断しているが、この実施の形態では、原水供給路３０から軟水器３１に対して連続的に原水を供給し、貯留部２３に対して連続的に軟水を供給することもできる。但し、この場合、バルブ３３の操作により貯留部２３への軟水の供給量を制御し、循環経路５を循環中の冷却水のｐＨが上述の範囲に維持されるよう調節する必要がある。
【００３４】
第三の形態
図３を参照して、本発明に係るレジオネラ属菌の繁殖抑制方法の第三の形態を適用可能な冷却水循環システムを説明する。図３において、冷却水循環システム２００は、インバータ２５に代えて電気分解装置２１０を備えている点を除き、上述の第一の形態に係る冷却水循環システム１と概ね同様に構成されている。したがって、図３において、図１と同じ部位には同じ符号を付している。
【００３５】
電気分解装置２１０は、電解槽２１１と電源２１２とを主に備えている。電解槽２１１内には、冷却水を電解するための一対の電極２１３が配置されており、この一対の電極２１３間に隔膜２１４が設けられることにより、陰極室２１１ａと陽極室２１１ｂとが形成されている。電解槽２１１には、冷却塔２の貯留部２３内から冷却水の一部を取り出すための冷却水採取路２１５が接続されており、陰極室２１１ａおよび陽極室２１１ｂのそれぞれへ冷却水を供給できるようになっている。陰極室２１１ａには、冷却水の電解により生成したアルカリ性電解水を冷却塔２の貯留部２３内へ供給するための電解水供給路２１６が接続されており、陽極室２１１ｂには、同じく冷却水の電解により生成した酸性電解水を系外へ排出するための電解水排出路２１７が接続されている。また、電源２１２は、一対の電極２１３間に冷却水の電解に必要な電圧を印加するためのものであり、制御装置２６に接続されている。制御装置２６は、ｐＨセンサ５２からの情報に基づいて、電源２１２を制御する。
【００３６】
この冷却水循環システム２００は、上述の第一の形態を実施するための冷却水循環システム１と基本的動作は同じであるが、レジオネラ属菌の繁殖抑制方法を次のように実施する。
【００３７】
先ず、バルブ３３を操作し、原水供給路３０から軟水器３１への原水の供給を遮断する。これにより、貯留部２３に対する軟水の供給が遮断され、冷却塔２と冷却負荷装置４との間では、冷却塔２の貯留部２３に貯留された冷却水のみが循環する。同時に、冷却水採取路２１５を通じて、冷却塔２の貯留部２３から冷却水の一部を電解槽２１１内へ供給する。この際、循環中の冷却水は、ｐＨセンサ５２によりｐＨが常時測定され、その情報が制御装置２６へ伝達される。制御装置２６は、ｐＨセンサ５２からの情報に基づいて電源２１２を作動させる。この結果、貯留部２３の冷却水は、一対の電極２１１間に印加される電圧により適宜電解処理され、陰極室２１１ａでアルカリ性電解水が生成されると共に、陽極室２１１ｂで酸性電解水が生成される。そして、アルカリ性電解水を電解水供給路２１６を通じて冷却塔２の貯留部２３へ供給しながら、酸性電解水を電解水排出路２１７を通じて系外へ排出する。したがって、ｐＨセンサ５２からの情報に基づいて、循環中の冷却水のｐＨが９．０以上、好ましくは９．２以上になるよう制御装置２６により電源２１２を作動させれば、循環経路５を循環中の冷却水は、ｐＨが９．０以上若しくは９．２以上に維持される。
【００３８】
以上のようにして冷却水のｐＨを９．０以上若しくは９．２以上に維持すると、循環経路５を循環する冷却水において、レジオネラ属菌の繁殖が抑制され、冷却水中のレジオネラ属菌数は、上述の推奨値である１０ＣＦＵ／１００ミリリットル未満に容易に維持され得る。
【００３９】
上述のように、この形態に係るレジオネラ属菌の繁殖抑制方法は、循環する冷却水のｐＨを電解処理により９．０以上若しくは９．２以上に維持しているため、レジオネラ属菌の繁殖を効果的に抑制することができるが、冷却水が軟水であるため、冷却塔２におけるスケールの生成を併せて効果的に抑制することができる。
【００４０】
上述の説明では軟水器３１への原水の供給を遮断したが、この実施の形態では、原水供給路３０から軟水器３１に対して連続的に原水を供給し、貯留部２３に対して連続的に軟水を供給することもできる。但し、この場合、バルブ３３の操作により貯留部２３への軟水の供給量を制御し、循環経路５を循環中の冷却水のｐＨが上述の範囲に維持されるよう調節する必要がある。
【００４１】
この実施の形態では、冷却水採取路２１５および電解水供給路２１６のそれぞれを冷却塔２の貯留部２３と接続したが、これらを循環経路５と接続した場合も本実施の形態を同様に実施することができる。
【００４２】
その他の形態
（１）上述の各実施の形態は、開放式冷却塔を用いた冷却水循環システムにおいて本発明の繁殖抑制方法を適用した場合について説明したが、本発明の繁殖抑制方法は、密閉式冷却塔を用いた冷却水循環システムにおいても同様に実施することができる。
【００４３】
（２）上述の第一の形態、第二の形態および第三の形態は、二つの形態を任意に組合せることができ、また、三つの形態の全てを組合せることもできる。例えば、第一の形態と第二の形態とを組合せた場合は冷却水の濃縮と冷却水に対する薬剤の供給との併用により、また、第一の形態と第三の形態とを組合せた場合は冷却水の濃縮と冷却水の電解との併用により、循環中の冷却水のｐＨを上述の範囲により安定に維持することができる。
【００４４】
（３）上述の各実施の形態においては、本発明の繁殖抑制方法を冷却水循環システムの循環冷却水において適用した場合を例に説明したが、本発明の繁殖抑制方法は、２４時間風呂の循環水、温泉の循環水などの各種の循環水に対しても同様に適用することができる。
【実施例】
【００４５】
比較例
ｐＨを７に調整した軟水にレジオネラ属菌を３，２００個接種し、３６℃で３日間放置した。そして、接種時、２日経過時および３日経過時の各時点において、この軟水０．１ミリリットルをシステイン含有ＢＣＹＥα寒天培地に塗布して３６℃で７日間培養し、レジオネラ属菌数を調べた。レジオネラ属菌数は、培地に形成された集落数に基づいて調べた。結果を表１に示す。
【００４６】
実施例１
軟水のｐＨを９に調整した点を除いて比較例と同様に操作し、レジオネラ属菌数を調べた。結果を表１に示す。
【００４７】
実施例２
軟水のｐＨを１０に調整した点を除いて比較例と同様に操作し、レジオネラ属菌数を調べた。結果を表１に示す。
【００４８】
【表１】
2006175298.tif 000003
【００４９】
表１によると、比較例の場合はレジオネラ属菌数が接種時に比べて増加しているが、実施例１および実施例２の場合は接種時に比べてレジオネラ属菌数が減少していることがわかる。この結果より、軟水のｐＨを９．０以上に維持すれば、レジオネラ属菌の繁殖を効果的に抑制可能なことがわかる。
【図面の簡単な説明】
【００５０】
【図１】本発明の第一の実施の形態を適用可能な冷却水循環システムの概略図。
【図２】本発明の第二の実施の形態を適用可能な冷却水循環システムの概略図。
【図３】本発明の第三の実施の形態を適用可能な冷却水循環システムの概略図。
【符号の説明】
【００５１】
２  冷却塔
４  冷却負荷装置
５  循環経路
【図１】
2006175298.tif 000004
【図２】
2006175298.tif 000005
【図３】
2006175298.tif 000006